(57)【特許請求の範囲】
【請求項１】
上下にそれぞれ弦が張られたベース部材と、
このベース部材が取り付けられる楽器ケースと、
この楽器ケースに着脱可能に取り付けられて、前記弦の振動を変化させる弦振動制御部材と、を備え、
前記弦振動制御部材は、前記弦に接触して当該弦に振動の節を形成する節形成部を有していることを特徴とする弦楽器。
【請求項２】
前記弦は、前記ベース部材の一端部で折り返されることにより、前記ベース部材の上側から下側に亘って連続して張り渡されていることを特徴とする請求項１に記載の弦楽器。
【請求項３】
前記楽器ケースは、前記ベース部材の上側に位置する前記弦を露出させた状態で前記ベース部材が取り付けられ、
前記弦振動制御部材は、前記ベース部材の下側に位置する前記弦に作用することを特徴とする請求項１又は請求項２に記載の弦楽器。
【請求項４】
前記弦振動制御部材は、前記弦に接触して当該弦の振動を吸収する振動吸収部を有していることを特徴とする請求項１〜請求項３のいずれかに記載の弦楽器。
【請求項５】
前記弦は、並列に複数本張られており、
前記弦振動制御部材は、前記複数の弦のうちの特定の弦に作用することを特徴とする請求項１〜請求項４のいずれかに記載の弦楽器。
【発明の詳細な説明】
【技術分野】
【０００１】
この発明は、ギターなどの弦楽器に関する。
【背景技術】
【０００２】
従来、ギターなどの弦楽器は、特許文献１に記載されているように、一面側にのみ弦が張られている。これにより、弦の張力による一方向の曲げモーメントが、必ず弦が張られた部材（例えば、ギターのネック）に加わる。
【先行技術文献】
【特許文献】
【０００３】
【特許文献１】特開２００４−３６１９７５号公報
【発明の概要】
【発明が解決しようとする課題】
【０００４】
このため従来では、この曲げモーメントによる前記部材の曲げ変形（例えば、ギターのネックのそり）を抑制するために、前記部材に大きな曲げ剛性を持たせる必要があり、弦楽器全体が重くなる、コストアップが避けられない、材料の選択の自由度が少ないなどの問題があった。また、前記部材に大きな曲げ剛性を持たせても、経年劣化等によって前記部材に曲げ変形が生じ、演奏性が低下する恐れがあった。
【０００５】
そこで発明者は、例えば特願２０１０−１６８４７１号によって、両面に弦が張られたベース部材よりなる弦楽器を提案している。ところが、単に両面に弦が張られた構成では、一面側の弦を弾くことにより生じた振動が他面側の弦に伝わり、他面側の弦がその一定の長さに応じた固有振動数で共振してしまう。そして、この他面側の弦の振動音を構成音として使わない曲などの場合には、この他面側の弦の振動音が不協音となって演奏性が低下する問題があった。
この発明が解決しようとする課題は、両面に弦が張られた弦楽器であって、上述したような不必要な弦の振動による演奏性低下が防止される弦楽器を提供することである。
【課題を解決するための手段】
【０００６】
この発明は、上記課題を解決するために、次のような構成要素を備えている。
請求項１に記載の発明は、上下にそれぞれ弦が張られたベース部材と、
このベース部材が取り付けられる楽器ケースと、
この楽器ケースに着脱可能に取り付けられて、前記弦の振動を変化させる弦振動制御部材と、を備え、
前記弦振動制御部材は、前記弦に接触して当該弦に振動の節を形成する節形成部を有していることを特徴とする弦楽器である。
【０００７】
請求項２に記載の発明は、前記弦が、前記ベース部材の一端部で折り返されることにより、前記ベース部材の上側から下側に亘って連続して張り渡されていることを特徴とする請求項１に記載の弦楽器である。
【０００８】
請求項３に記載の発明は、前記楽器ケースが、前記ベース部材の上側に位置する前記弦を露出させた状態で前記ベース部材が取り付けられ、
前記弦振動制御部材が、前記ベース部材の下側に位置する前記弦に作用することを特徴とする請求項１又は請求項２に記載の弦楽器である。
【０００９】
請求項４に記載の発明は、前記弦振動制御部材が、前記弦に接触して当該弦の振動を吸収する振動吸収部を有していることを特徴とする請求項１〜請求項３のいずれかに記載の弦楽器である。
【００１０】
請求項５に記載の発明は、前記弦が、並列に複数本張られており、
前記弦振動制御部材が、前記複数の弦のうちの特定の弦に作用することを特徴とする請求項１〜請求項４のいずれかに記載の弦楽器である。
【発明の効果】
【００１１】
この発明によれば、弦振動制御部材が楽器ケースに取り付けられて弦の振動を変化させる。このため、この弦振動制御部材を楽器ケースに取り付けることによって、例えば不必要な弦の振動を無くしたり或いは演奏に有用な振動に変化させたりすることができる。また弦振動制御部材は、楽器ケースに着脱可能であるため、演奏上の必要性に応じてこの弦振動制御部材を着脱して弦の振動を適宜変化させることができる。したがって、不必要な弦の振動による演奏性低下が防止でき、場合によっては、さらに演奏上有用な音を付加して演奏品質を向上できる。
【図面の簡単な説明】
【００１２】
【図１】この発明を適用した弦楽器の第１実施形態（電気ギター）を示した平面図である。
【図２】図１に示された弦楽器のＡ−Ａ矢視における側断面図である。
【図３】（ａ）は図２に示された弦楽器のＢ−Ｂ矢視における断面図であり、（ｂ）は図２に示された弦楽器のＣ−Ｃ矢視における断面図である。
【図４】図１に示された弦楽器の弦モジュールを示した平面図である。
【図５】図１に示された弦楽器の弦モジュールを示した側断面図である。
【図６】図１に示された弦楽器の弦引張調整装置を示す拡大斜視図である。
【図７】（ａ）は図２に示された弦楽器のＤ−Ｄ矢視における断面図であり、（ｂ）は（ａ）と同じ断面図であって弦振動制御部材を取り外した状態を示す図である。
【図８】楽器ケースから弦振動制御部材を取り外した状態を示す斜視図である。
【図９】（ａ）は他の実施形態である弦振動制御部材を楽器ケースに取り付けた状態を示す断面図であり、（ｂ）は同弦振動制御部材を取り外した状態を示す断面図であり、（ｃ）は（ａ）のＥ−Ｅ矢視における断面図である。
【図１０】この発明の他の実施形態である弦モジュールの部分側断面図である。
【図１１】この発明の他の実施形態である弦モジュールの側断面図である。
【発明を実施するための形態】
【００１３】
以下、図１〜図８を参照して、この発明を適用した弦楽器の第１実施形態について説明する。
本形態例の弦楽器は、図１，２に示すように、音域の異なる６本の弦Ｓ１〜Ｓ６が張られた弦モジュール１と、この弦モジュール１が着脱可能に取り付けられる楽器ケース２と、電磁ピックアップ３と、楽器ケース２に着脱可能に取り付けられる弦振動制御部材８０と、を備える電気ギター（ボディ無しタイプ）である。なお各弦Ｓ１〜Ｓ６は、相互に区別しない場合は、単に弦Ｓと表記する。
【００１４】
電磁ピックアップ３は、各弦Ｓの下側における、楽器ケース２や後述するベース部材１０の上面に配置され、取付ネジ４によって楽器ケース２に固定されている。この電磁ピックアップ３は、各弦Ｓにそれぞれ対応する位置に配置された金属製のヨーク５と、これらヨーク５に巻かれたコイル６（図２に示す）と、ヨーク５の下側等に配置された永久磁石（図示省略）とを備える公知のものであり、各弦Ｓの振動をそれぞれ電気信号に変換する。変換された電気信号は、この電磁ピックアップ３の端子７に接続されるケーブル８によって、例えば外付けのスピーカ付きアンプに出力され、これにより本ギターの演奏に対応した発音が行われる。
【００１５】
弦モジュール１は、図４，５に示すように、ベース部材１０と、弦Ｓ（弦Ｓ１〜Ｓ６）と、各弦Ｓそれぞれに対して設けられた弦引張調整装置１１とを備えている。
ベース部材１０は、全体として帯板状の部材であり、本例の場合、耐摩耗性の高い金属（例えば、ステンレス）或いはセラミックよりなる。このベース部材１０は、図５のようにその長手方向が左右方向になり、弦が張られる面が上下面となるように配置された場合、左右方向の両端部にそれぞれ弦支持部が上下に同じ高さで突出して設けられ、上面側と下面側の両方に弦を張ることができ、上下面を反転させて楽器ケース２に付け替えることができる構成となっている。また本例では、各弦Ｓがベース部材１０の一端部（図５では左端部）で折り返されることにより、各弦Ｓが連続してベース部材１０の上下面に張られる構成となっている。
【００１６】
この場合、弦支持部としては、ベース部材１０の左端部にナット１２，１３が上下に同じ高さで突出して設けられ、ベース部材１０の右端部にブリッジ１４，１５が上下に同じ高さで突出して設けられている。これら弦支持部（ナット１２，１３、ブリッジ１４，１５）は、各弦Ｓの裏側に当接して各弦Ｓを支持するものであり、その上端面（或いは下端面）は単なる平坦であってもよいが、各弦Ｓがはまり込む溝がそれぞれ形成されていてもよい。この溝があると、各弦Ｓの位置ずれ（図２の紙面に直交する前後方向の位置ずれ）が防止される。また、ナット１２，１３の突出高さ（後述する弦高）と、ブリッジ１４，１５の突出高さとは、異なっていてもよい。
【００１７】
ここで、弦支持部が上下に同じ高さで突出して設けられているということは、弦支持部における各弦Ｓの弦高（ベース部材の表面から弦中心までの距離）が、ベース部材１０の上面側と下面側とで等しいことを意味する。いいかえると、図５のようなベース部材１０の側断面図において、ベース部材１０の長手方向（図５では左右方向）に沿うベース部材１０の中心線Ｍから、上下の弦Ｓの中心までの距離が相互に等しいことを意味する。ここで、ベース部材１０の側断面図における中心線Ｍは、ベース部材１０を梁（はり）と考えた場合の、中立面（梁の曲げによる応力がゼロになる面）に対応する線である。また本例では、図５に示すように、ベース部材１０の全体形状は、この中立面を境として上下に対称な形状となっている。
【００１８】
このようなベース部材１０の構成によって、弦Ｓの張力が上下で等しければ（本例では弦Ｓは上下で連続しており張力は等しい）、弦Ｓの張力によりベース部材１０の弦支持部に加わる曲げモーメントは、上下で打ち消しあいゼロになる。なお、弦支持部の突出高さが等しいといっても、目標の品質範囲内で許される程度の僅かな違いがあってもよいことはいうまでもない。僅かな違いがあっても、片面のみに弦を張る従来の構成に比べれば、前記曲げモーメントは格段に小さく、ほぼゼロになる。
【００１９】
そして、図４，５に示すように、ベース部材１０の上面と下面とにおける、ブリッジとナット間のナット側は、指板部（フィンガー・ボード）１６，１７を構成しており、またブリッジとナット間のブリッジ側は、演奏部１８，１９を構成している。指板部１６，１７は、演奏者が弦Ｓを指で押さえる場所であり、所定音階（例えば、半音階）を実現する間隔でフレット２１，２２が形成されている。ここで、フレット２１，２２は、ベース部材１０の上面又は下面に形成された細長い突出部分であり、図５の紙面に直交する前後方向（ベース部材１０の幅方向）に断面一様に伸びており、断面形状は図５に示すように上下に山形状に突出した形状となっている。また、本例のフレット２１，２２は、ベース部材１０と一体に形成されている。なお、このようなフレットは、演奏者が弦Ｓを押さえることによって弦Ｓの裏側に当り、弦Ｓの振動による音程を所定音階で変化させる周知のものであるが、必須要素ではなく、フレットレスの構成もあり得る。次に、演奏部１８，１９は、演奏者が弦Ｓを指やピック等で弾く場所で、前述した電磁ピックアップ３は、これら演奏部１８又は１９に取り付けられる。
【００２０】
また図４，５に示すように、ベース部材１０の右端部には、調整装置支持部２３が、ブリッジ１４の位置からさらに右方に伸びるように設けられている。本例では、この調整装置支持部２３は、ベース部材１０と一体に形成されている。この調整装置支持部２３は、上下に長方形状に開口する開口部２３ａを内側に有し、右端に帯板状部２３ｂを有する枠状のものである。この調整装置支持部２３も、前記中心線Ｍ（中立面）を中心として上下対称に形成され、帯板状部２３ｂの長手方向は、ベース部材１０の幅方向（図５の紙面に直交する方向）となっている。また、この調整装置支持部２３の帯板状部２３ｂには、ベース部材１０の長手方向に貫通する貫通孔２４（図５，６に示す）が、弦Ｓの数に対応した数だけ、ベース部材１０の幅方向に並んで形成されている。これら、貫通孔２４の前記幅方向の位置は、各弦Ｓの位置にそれぞれ対応しており、図５の側断面図においては、やはり前記中心線Ｍ上に位置している。
【００２１】
また図４に示すように、ベース部材１０の幅方向中央位置には、楽器ケース２にベース部材１０を固定するためのネジ孔２５が、ベース部材１０の長手方向の複数箇所（この場合、５箇所）に設けられている。このネジ孔２５は、本例の場合、上下に貫通した状態に形成されている。なお、このネジ孔２５の態様（配置や上下に貫通しているか否か等）は、ベース部材１０の上下面を反転させて楽器ケース２に付け替えることができる態様であれば、いかなるものでもよい。
【００２２】
また図５に示すように、ベース部材１０の左端には、ナット部固定ワッシャ２６がこの場合２本のナット部固定ネジ２７によって固定されている。ナット部固定ワッシャ２６は、ベース部材１０の幅方向（図５の紙面に直交する前後方向）に沿って横長に配置される帯板状の部材である。また、ナット部固定ネジ２７は、ナット部固定ワッシャ２６の前後両端部に形成された貫通孔（図示省略）に挿通されて、ベース部材１０の左端面における各弦Ｓに干渉しない位置に形成されたネジ孔（図示省略）にねじ込まれることによって、ナット部固定ワッシャ２６をベース部材１０の左端面に対して押し付けるように固定する。なお、ナット部固定ネジ２７の外周面全体には、ユーザが指で回転させる際に滑らないように、細かい溝が多数形成されている。
【００２３】
そして、各弦Ｓの折り返し部分は、このナット部固定ワッシャ２６と、ベース部材１０の左端面（この場合、ナット１２，１３の左端面）との間に挟み付けられる構成となっている。これにより、演奏時における折り返し部分での各弦Ｓの動き（すべり）が規制される。なお、このナット部固定ワッシャ２６のような部材は、必須ではなく、折り返し部分での各弦Ｓの動きを規制する必要性に応じて適宜設ければよい。
【００２４】
次に、各弦Ｓ（Ｓ１〜Ｓ６）は、この場合、電磁ピックアップ３が機能するように、金属製の線材によって弦本体が構成されたものである。各弦Ｓの一端には、図５や図６に示すように、弦本体の太さよりも大きなポールエンドＳＥが設けられている。各弦Ｓは、ベース部材１０の一端部（左端部）に位置する弦支持部（ナット１２，１３）で折り返されることにより、ベース部材１０の他端部（右端部）から前記一端部へ、さらにベース部材１０の前記一端部から前記他端部へと、連続してベース部材１０の上下面に張り渡されている。各弦Ｓは、上下面で連続しているため、ベース部材１０の弦支持部の上端部間（即ち図５の場合、ナット１２とブリッジ１４の上端部間）および弦支持部の下端部間（即ち図５の場合、ナット１３とブリッジ１５の下端部間）にそれぞれ同じ張力で張り渡されている。
【００２５】
次に、弦引張調整装置１１は、図４，５及び図６に示すように、弦引張調整部材３３と、調整ネジ軸３４と、調整ナット３５と、ロックナット３６とを備え、各弦Ｓのそれぞれに対して一組ずつ設けられている。各弦Ｓの弦引張調整装置１１は、図４に示すように、各弦Ｓの配置に対応してベース部材１０の幅方向に並んで設けられている。
ここで、弦引張調整部材３３は、図６に示すように、全体として直方体状の部材であり、前述の調整装置支持部２３の開口部２３ａ内に配置され、弦Ｓの両端が固定される部材である。
【００２６】
図６に示すように、この弦引張調整部材３３の比較的左側には、弦ＳのポールエンドＳＥが上面から挿入可能なポールエンド保持凹部３７が上面に開口した状態で形成されている。また弦引張調整部材３３の左端面からは、ポールエンド保持凹部３７に連通する弦挿通孔３８が形成されている。弦挿通孔３８は、左に向かって斜め下向きの貫通孔であり、ポールエンド保持凹部３７から弦支持部の下端（図５ではブリッジ１５の下端）に向かって弦Ｓを引き出すための孔であり、その内径はポールエンドＳＥの外形よりも小さい。また、弦引張調整部材３３の比較的右側には、弦Ｓの他端を弦固定ネジ３９で固定するための弦固定凹部４０が上面に開口した状態で形成されている。なお、弦固定凹部４０の底面には、弦固定ネジ３９の軸をねじ込むためのネジ孔（符号省略）が形成されている。そして、弦Ｓの他端側は、この弦固定凹部４０の底面と上記ネジ孔にねじ込まれた弦固定ネジ３９の頭部との間に挟み付けられることによって、弦引張調整部材３３に固定される。
【００２７】
調整ネジ軸３４は、図５に示すように、弦引張調整部材３３の右端面から前記中心線Ｍの延長上に伸びるように設けられて、前記調整装置支持部２３の帯板状部２３ｂにおける貫通孔２４に摺動自在に挿通されたネジ軸であり、弦引張調整部材３３と一体に設けられている。この調整ネジ軸３４の先端部（図５では右端部）は、貫通孔２４を貫通して、前記帯板状部２３ｂよりも外側（右側）に突出している。
【００２８】
図６に示すように、調整ナット３５とロックナット３６は、いずれも調整ネジ軸３４の外周に螺合（らごう；ねじをはめ合わせること）されたナットであり、その外径は貫通孔２４の内径よりも当然に大きい。このうち、ロックナット３６は、調整ネジ軸３４の基端側まで予め螺合されることによって、前記帯板状部２３ｂよりも内側（左側）に配置されている。一方、調整ナット３５は、調整ネジ軸３４が前記帯板状部２３ｂの貫通孔２４に挿通された後で、調整ネジ軸３４における前記帯板状部２３ｂよりも外側（右側）に突出している部分に螺合されている。なお、調整ナット３５とロックナット３６の外周面全体には、ユーザが指で回転させる際に滑らないように、細かい溝が多数形成されている。
【００２９】
ここで、各弦引張調整装置１１の弦引張調整部材３３は、図４に示すように前述した開口部２３ａ内に僅かな隙間で隣接して配置されているため、調整ネジ軸３４の中心線回りに回転することは不可能とされている。しかし、各弦引張調整部材３３は、隣り合う側面同士が摺動するようにして、前記中心線Ｍ（図６では直線ｍ）に沿ってベース部材１０の他端部（ブリッジ１４，１５のある位置）に対して接離する方向（図５では左右方向）に移動可能とされている。なお、図６に符号ｍで示す直線は、前述したベース部材１０の中立面内の直線であって、ベース部材１０の長手方向（図５では左右方向）に平行な直線である。すなわち、この直線ｍは、図５等における前記中心線Ｍに対応する線である。この直線ｍは、前記調整ネジ軸３４や貫通孔２４の中心を通り、弦引張調整部材３３内における弦Ｓの両端部の固定位置（又はその近傍）を通る。
【００３０】
このように構成された弦引張調整装置１１では、次のようにして各弦Ｓを張ること、及び張った状態に保持することができるとともに、各弦Ｓの張力を調整するチューニング（調弦）が容易に可能である。すなわち、まず、弦Ｓの他端を弦引張調整部材３３のポールエンド保持凹部３７から挿入して弦挿通孔３８から引き出し、ベース部材１０の下面側をベース部材１０の一端部（左端部）に向けて弦Ｓの他端側を引っ張って引き回した後、ベース部材１０の一端部（この場合、ナット１２，１３の位置）で弦Ｓを上側に折り返す。次いで、ベース部材１０の上面側をベース部材１０の他端部（右端部）に向けて、弦Ｓの他端側を引っ張り、弦Ｓの一端部のポールエンドＳＥがポールエンド保持凹部３７にはまり込んで保持された状態とする。その後、弦Ｓの他端側をある程度引っ張りながら弦固定ネジ３９の軸に巻き付け、この弦固定ネジ３９で弦引張調整部材３３の弦固定凹部４０内の底部に固定する。これにより、弦Ｓがベース部材１０の上下面に連続して張られる。なお、ナット１２，１３やブリッジ１４，１５の先端面に前述した溝が形成されている場合には、この溝に弦Ｓをはめ込みつつ上述したように弦Ｓを張ればよい。また、ナット部固定ネジ２７とナット部固定ワッシャ２６は、弦Ｓを張る際にはいったん取り外しておき、各弦Ｓを張った後に取り付ければよい。
【００３１】
そして、上述したように弦Ｓを張った後は、ロックナット３６を前記帯板状部２３ｂから離れる向きに回転させて緩めた後、調整ナット３５を帯板状部２３ｂに押し付ける向きに回転させて締め付けると、調整ネジ軸３４と弦引張調整部材３３がベース部材１０の他端部から離れる方向（図５における右側）に向かって移動し、これにより弦Ｓがさらに引っ張られて張力が増加する。或いは逆に、調整ナット３５を帯板状部２３ｂから離れる向きに回転させて緩めると、調整ネジ軸３４と弦引張調整部材３３がベース部材１０の他端部に接近する方向（図５における左側）に向かって移動し、これにより弦Ｓの張力が低下する。そして、調整ナット３５を回転させた後は、ロックナット３６を帯板状部２３ｂに押し付ける向きに回転させて締め付けておけば、調整ナット３５とロックナット３６が帯板状部２３ｂを挟み付けるよう締め付けられることになるので、調整ネジ軸３４及び弦引張調整部材３３が移動不可能にベース部材１０に対して固定され、弦Ｓは所定の張力で張った状態に保持される。
【００３２】
したがって、以上のような作業を各弦Ｓそれぞれについて行うことによって、各弦Ｓを張ること、張った状態に保持すること、及び各弦Ｓの張力を調整するチューニングが一般ユーザでも容易に可能である。
ここで、弦Ｓの両端を弦引張調整部材３３に上述したように固定した状態では、弦Ｓの一端側の固定位置であるポールエンドＳＥの位置と、弦Ｓの他端側の固定位置である弦固定凹部４０の底面の位置とは、前述したように、ベース部材１０の前述した中立面の延長上、いいかえると、図５に示す側断面図においてベース部材１０の前述した中心線Ｍの延長上に配置されている。すなわち、弦Ｓの両端部は、ベース部材１０の一端部から他端部に向かう方向に沿うベース部材１０の中心線Ｍの延長上において、ベース部材１０の他端部から離れる方向（図５では、右方）に向けて引っ張られている。
【００３３】
なお、上述した弦引張調整装置１１において、調整ネジ軸３４の外周であって調整ナット３５と帯板状部２３ｂの間に、例えばナイロン製のワッシャを介在させることによって、調整ナット３５の回転操作をより円滑にするようにしてもよい。或いは、帯板状部２３ｂの前述した貫通孔２４の内周と、ここに挿通される調整ネジ軸３４の外周の間にも、滑りをよくする部材を介在させて、調整ナット３５の回転操作に伴う調整ネジ軸３４の摺動がより円滑になるようにしてもよい。
【００３４】
次に、本例の弦モジュール１の弦Ｓの張力によりベース部材１０に加わる曲げモーメントについて説明する。
弦モジュール１は、両端部にそれぞれ弦支持部（ナット１２，１３、ブリッジ１４，１５）が上下に同じ高さで突出して設けられたベース部材１０と、このベース部材１０の前記弦支持部の上端部間および前記弦支持部の下端部間にそれぞれ同じ張力で張り渡された弦Ｓとを備えている。このため、少なくとも前記弦支持部間に張られた弦Ｓにより前記弦支持部に加わる張力によってベース部材１０に発生する曲げモーメントは、上下で打ち消し合ってゼロになる。
【００３５】
さらに、本例の弦モジュール１は、両端部にそれぞれ弦支持部が上下に同じ高さで突出して設けられたベース部材１０と、このベース部材１０の一端部に位置する弦支持部（ナット１２，１３）で折り返されることにより、ベース部材１０の他端部から一端部へ、さらにベース部材１０の一端部から他端部へと、連続してベース部材１０に張り渡された弦Ｓとを備え、弦Ｓの両端部は、ベース部材１０の一端部から他端部に向かう方向に沿うベース部材１０の中心線Ｍの延長上において、ベース部材１０の他端部（ブリッジ１４，１５）から離れる方向に向けて引っ張られている。すなわち、張力の等しい連続する弦Ｓが、ベース部材１０の前記中心線Ｍの上下両側に同じ高さで対称に張られ、しかもこの弦Ｓの両端部が前記中心線Ｍの延長上において、ベース部材１０の他端部から離れる方向に向けて引っ張られている。このため、弦Ｓ全体の張力によってベース部材１０に発生する曲げモーメントが、上下で打ち消し合ってゼロになる。
【００３６】
次に、楽器ケース２は、図１，２に示すように、全体として上面側が開口した箱型の部材であり、例えば合成樹脂の一体成型によって製作される。この楽器ケース２は、図１に示すように、内部の前後方向及び左右方向の寸法が、ベース部材１０を含む弦モジュール１の前後方向及び左右方向の外形寸法と概略同じであり、ベース部材１０の上側に位置する各弦Ｓを上面側に露出させた状態で、弦モジュール１が内側に僅かな隙間ではまり込んだ状態に取り付けられる構成となっている。また、楽器ケース２の底面における、前述のベース部材１０のネジ孔２５に対応する位置には、上方に突出するボス２９が形成され、弦モジュール１の取付状態では、このボス２９の上端面がベース部材１０の下面に当接する。またボス２９は、図２に示すように、内部が中空でこの中空部が楽器ケース２の下面側に開口しており、このボス２９の上端部には、取付ネジ３０を挿通するために上下に貫通した貫通孔（符号省略）が前記ネジ孔２５と同軸上となる位置に形成されている。
【００３７】
そして、楽器ケース２の下面側から取付ネジ３０をボス２９内に挿入し、ボス２９上端部の前記貫通孔に挿通させて、前記ネジ孔２５にねじ込むことによって、ベース部材１０が楽器ケース２に固定され、弦モジュール１が楽器ケース２に取り付けられる構成となっている。なお図２，３に示すように、楽器ケース２に対する弦モジュール１の取付状態においては、楽器ケース２の底壁が弦モジュール１の下面を覆い、楽器ケース２の側壁が弦モジュール１の側部外周を覆う。但し、図２に示すように、楽器ケース２の右端壁の上端側には、前述した調整装置支持部２３の帯板状部２３ｂがはまり込む凹部３１が形成され、この凹部３１を介して、前記帯板状部２３ｂが右側方に露出している。これにより、前述の調整ナット３５も右側方に露出するため、楽器ケース２に弦モジュール１を取り付けた状態で、調弦のために前述の調整ナット３５を操作する作業が、容易に行える。
【００３８】
そして、このように楽器ケース２に弦モジュール１を取り付けた状態においては、図３（ａ）及び（ｂ）に示すように、楽器ケース２と弦モジュール１のベース部材１０とでギターのネックが構成され、ネックの内部は中空となって軽量化のために有利となる。
また図２に示すように、楽器ケース２の左端面と右端面とには、演奏者が肩にかけるストラップを取り付けるためのストラップピン３２が、それぞれ端面から突出させて設けられている。
【００３９】
また図７（ｂ）や図８に示すように、楽器ケース２の底壁には、ベース部材１０の裏側（図７（ｂ）における下側）の各弦Ｓを部分的に露出させる開口部４１が形成されている。開口部４１は、楽器ケース２の幅方向（図２の紙面に直交する前後方向）の手前側から向う側まで、楽器ケース２の底部を横断するように形成されており、後述する弦振動制御部材８０の基板部８１が僅かな隙間ではまり込む大きさとされている。この開口部４１の前後両端位置には、弦振動制御部材８０の後述する取付片８３がはまり込む取付凹部４２がそれぞれ形成され、さらに各取付凹部４２には、楽器ケース２の幅方向における前方又は後方に突出する係合突起４３がそれぞれ形成されている。
【００４０】
なお、楽器ケース２や各弦Ｓの長手方向（図２における左右方向）における開口部４１の位置は、弦振動制御部材を取り付けるための所定位置となっている。この所定位置とは、弦振動制御部材を取り付けるのに好ましい位置である。例えば、図７に示す弦振動制御部材８０のように全ての弦Ｓの振動を吸収する（いわゆるミュートする）タイプの弦振動制御部材の着脱のみを想定している場合には、どの位置でも振動の吸収は可能なので、特に限定されず、部材の干渉等が起きない位置であればよい。しかし、後述する図９に示す弦振動制御部材９０のように何れかの弦Ｓに振動の節を形成するタイプの弦振動制御部材の着脱も想定している場合には、その弦Ｓの長手方向における節を形成すべき位置（以下、節形成位置という）に対応した位置とされ、弦振動制御部材を取り付けたときに、この節形成位置に精度良く節が形成されるように、この開口部４１の前記長手方向における位置が設定されている必要がある。
【００４１】
次に、弦振動制御部材８０は、図７（ａ），（ｂ）や図８に示すように、基板部８１と、この基板部８１の内側に設けられた振動吸収部８２とよりなる。ここで、基板部８１は、例えば楽器ケース２と同じ材質（例えば、合成樹脂製）のものであり、前述した開口部４１を塞ぐように取り付けられて楽器ケース２と段差無く一体化する形状寸法とされている。この基板部８１の両端には、弦振動制御部材８０の装着時に弾力的に撓んで前記取付凹部４２にはまり込む取付片８３がそれぞれ形成されている。そして、これら取付片８３には、弦振動制御部材８０の装着時に、前述した係合突起４３がはまり込む係合凹部８４がそれぞれ形成されている。このような構成によって、弦振動制御部材８０は、楽器ケース２の前記開口部４１に対して押し込むことにより、ユーザがワンタッチで容易に装着でき、逆に前記開口部４１から引き抜くことにより、ユーザが容易に取り外すことができる。
【００４２】
なお、基板部８１の両端の取付片８３は、弦振動制御部材８０の開口部４１への装着時に、前記係合突起４３を乗り越えるようにして弾力的に外側にいったん撓んだ後に、前記取付凹部４２にはまり込み、この際、この取付片８３の係合凹部８４に前記係合突起４３がはまり込んで係合する。したがって、弦振動制御部材８０を逆に前記開口部４１から引き抜いて取り外す際には、基板部８１の両端の取付片８３の少なくとも一方を外側にいったん撓ませて、前記係合突起４３からこの取付片８３の係合凹部８４を外す必要がある。そこで、このような操作（基板部８１の取付片８３を外側に撓ませつつ、基板部８１を引き抜く操作）を容易に行えるようにするための例えば指引っ掛け用の凹部などを、基板部８１の外側面等に形成してもよい。
【００４３】
また振動吸収部８２は、シリコンゴムなどのミュート材（弦に接触して弦の振動を吸収できる材料）よりなるものであり、例えば接着によって基板部８１（取付片８３及びその近傍を除く部分）の内面に固定されている。この振動吸収部８２は、弦振動制御部材８０が楽器ケース２の前記開口部４１に取り付けられた装着時に、ベース部材１０の裏側（図７では下側）の各弦Ｓに図７（ａ）に示す如くその表面が十分に接触し、各弦Ｓの共振を十分に阻止できる寸法とされている。なお、振動吸収部８２は、ゴムに限らず、例えば柔軟性のあるスポンジ状の合成樹脂（ウレタンスポンジなど）でもよい。
【００４４】
次に、本ギターを組み立てる場合について説明する。
弦モジュール１は、ベース部材１０に各弦引張調整装置１１を組み付けた後、各弦引張調整装置１１を利用して前述したように各弦Ｓを張り渡すことによって組み立てられる。そして、弦モジュール１の上下面いずれかを上側に向けて露出させた状態で弦モジュール１を楽器ケース２内にはめ込み、その後、楽器ケース２の下面側から取付ネジ３０をボス２９内に挿入し、ボス２９上端部の前記貫通孔に挿通させて、ベース部材１０の前記ネジ孔２５にねじ込むことによって、ベース部材１０を楽器ケース２に固定して、弦モジュール１を楽器ケース２に固定して取り付けることができる。そして、電磁ピックアップ３と弦振動制御部材８０を楽器ケース２に取り付ければ、本ギターの組立が終了する。なお、電磁ピックアップ３は、各弦Ｓの下側における、ベース部材１０や楽器ケース２の上面所定位置に配置し、前述した取付ネジ４によって楽器ケース２に固定すればよい。また、弦振動制御部材８０は、前述したように楽器ケース２の前記開口部４１に押し込むことにより容易に取り付けることができる。
【００４５】
なお、以上の組立手順、或いはその逆の手順を行えば、本ギターは一般ユーザでも容易に組立又は分解することができ、弦モジュール１の上下面（表裏）を反転させることも容易であるし、弦振動制御部材８０の着脱も容易である。すなわち、電磁ピックアップ３を一時取り外し、弦モジュール１を取り外して上下面を反転させた後に再度楽器ケース２に取り付け、その後電磁ピックアップ３を取り付けるという、容易な作業で弦モジュール１の上下面を反転させることができる。また弦振動制御部材８０は、前述したように開口部４１から引き抜くことで容易に取り外せる。またなお、本ギターでは、弦モジュール１の着脱と、弦振動制御部材８０の着脱とは、互いに独立して行える構成である。このため、本ギターの組立の際、弦振動制御部材８０を楽器ケース２に予め取り付けておくことも可能であり、弦振動制御部材８０を楽器ケース２に取り付けたままで、弦モジュール１の着脱を行うことも当然可能である。
【００４６】
以上説明した第１実施形態の弦楽器（本ギター）によれば、弦振動制御部材８０が楽器ケース２に取り付けられて弦の振動を変化させる。本例では、図７（ａ）に示す如く、弦振動制御部材８０の振動吸収部８２が各弦Ｓに接触して裏側の各弦Ｓの振動を吸収する（各弦Ｓをいわゆるミュートする）。このため、この弦振動制御部材８０を楽器ケースに取り付けることによって、演奏上不必要な裏側の各弦Ｓの振動（裏側の開放弦の振動）による音を無くすことができる。また弦振動制御部材８０は、楽器ケース２に着脱可能であるため、演奏上の必要性に応じてこの弦振動制御部材８０を取り外して、裏側の各弦Ｓの振動を積極的に利用して、演奏上有用な音を付加して演奏品質を向上させることもできる。例えば、各弦Ｓの開放弦の音が調性とあっている調の曲を演奏する場合に、弦振動制御部材８０を取り外して、裏側の各弦Ｓの振動を積極的に利用すると、良い結果が得られることが多い。なお、ギターには、指で弾いたりして演奏するための弦（基本弦）の他に、基本弦の振動によって共振させるための弦（共鳴弦）を有するギター（シタール、或いはシタールギターといわれるもの）がある。本例のギターにおいて弦振動制御部材８０を取り外して裏側の各弦を開放してやれば、裏側の各弦Ｓがシタールギターの共鳴弦として機能することになる効果がある。すなわち、本ギターは、弦振動制御部材８０を取り外すことによって、シタールギターに似たサウンドを出すこともできる。
【００４７】
なお、弦振動制御部材８０を取り外すと、楽器ケース２の前記開口部４１が開放されて裏側の各弦Ｓが露出した状態になってしまうが、前記開口部４１の蓋部材（例えば弦振動制御部材８０から振動吸収部８２を取り除いた基板部８１だけからなるもの）を別途ギターに付属させておいて、弦振動制御部材８０を取り外した場合には、この蓋部材を代わりに前記開口部４１に取り付けて前記開口部４１を塞いでおくようにすることができる。
【００４８】
また本ギターは、仮に弦の張力が過大に調整されたとしても、弦の張力による曲げモーメントが発生せず、弦が張られるベース部材１０には、弦の張力によって圧縮力のみが加わるようになる。このため、弦の張力による曲げ変形（そり）がベース部材１０の高剛性化を伴わずに防止できる。これにより、いわゆるネックのそりがまったく無くなる。また、ベース部材１０としては、例えば本例のように薄く軽量な金属製の部材を使用して、軽量化、小型化、低コスト化を図ることができる。また、経年劣化や調弦の不具合によるベース部材１０の曲げ変形も防止でき、このような曲げ変形によって弦高やフレット高さが変動して不安定になり演奏性が低下する不具合も防止できる。
【００４９】
特に、本例の弦モジュール１は、弦Ｓを張るベース部材１０が金属製でありフレット２１，２２がこのベース部材１０に一体に形成されている。このため、これらフレットの高さは、ベース部材１０の製造工程における仕上げ加工などにおいて一度調整すれば、経年変化や調弦の不具合によっても変化することがない。ちなみに、ギターなどのフレット楽器では、フレットの高さの精度が求められるが、従来は木材のネックに金属のフレットを打ち付けていたのでフレット高さが定まらず、必ず後加工によるフレット高さの調整を必要としていた。これはネックが木材なので、ネックの曲がりにも影響され、不安定な要素が多かったことが原因である。本例の弦モジュール１によれば、このような不安定な要素がなく、弦とフレットの精度が安定し、演奏性の高い弦楽器が実現できる。
【００５０】
また、前記曲げモーメントがゼロになるため、ベース部材１０を構成する材料としては、金属に限られず、樹脂やガラス、陶器、曲げ剛性の低い安価な木材などを使用することができ、材料選択の自由度が向上し、軽量化、小型化、低コスト化のみならず、デザイン性の向上も可能となる。
【００５１】
また弦モジュール１は、弦Ｓの両端部が固定された弦引張調整部材３３を備え、この弦引張調整部材３３は、ベース部材１０の前記中心線Ｍの延長上におけるベース部材１０の他端部側に配置され、前記中心線Ｍに沿ってベース部材１０の他端部に対して接離する方向に移動可能とされている。このため、この弦引張調整部材３３を前記方向に移動させることによって（本例では具体的には、前述したように、調整ナット３５等の操作によって移動させる）、前述した曲げモーメントがゼロになっている状態を維持しつつ弦の張力を容易に調整できて、調弦が容易に可能となる。
【００５２】
また弦モジュール１は、弦Ｓがベース部材１０の上側から下側に亘って連続して張り渡されているため、上側と下側に別個の弦をそれぞれ張る場合に比べて、弦の本数が半分ですみ、また弦引張調整装置１１のような調弦装置の数も半分ですみ、また調弦の作業も上下面についてそれぞれ行わなくてもよいという利点がある。また、弦が上下で連続していることによって、特に調整しなくても上下の弦の張力が等しくなり、前述したように弦の張力による曲げモーメントを正確にゼロにする上で有利である。
【００５３】
また、弦Ｓに汚れや錆びが生じて弦Ｓを交換したくなったときには、弦モジュール１の上下面を反転させて付け替えれば、新品同様の弦Ｓが表面側となるため、実際には弦を交換しなくても弦を交換したのと同様の結果が容易に得られる効果がある。また、場合によっては、交換用の弦モジュール１を別個に準備しておき、弦モジュール１全体を新品に交換して弦交換を実現することもできる。しかもこの際、交換用の弦モジュール１の各弦Ｓのチューニングを予めやっておけば、弦交換後のチューニングも必須ではなくなる。
【００５４】
次に、本発明の第２実施形態を説明する。第２実施形態は、図９に示す弦振動制御部材９０を備え、弦振動制御部材を除く他の構成は第１実施形態と同じでよい。
弦振動制御部材９０は、図９（ａ）〜（ｂ）に示すように、基板部９１と、この基板部９１の内側に設けられた振動吸収部９２及び節形成部９５とよりなる。ここで、基板部９１は、第１実施形態の弦振動制御部材８０と同様に、例えば楽器ケース２と同じ合成樹脂製のものであり、前述した開口部４１を塞ぐように取り付けられて楽器ケース２と段差無く一体化する形状寸法とされている。この基板部９１の両端には、前記弦振動制御部材８０と同様に、弦振動制御部材９０の装着時に弾力的に撓んで前記取付凹部４２にはまり込む取付片９３がそれぞれ形成されている。そして、これら取付片９３には、弦振動制御部材９０の装着時に、前述した係合突起４３がはまり込む係合凹部９４がそれぞれ形成されている。このような構成によって、弦振動制御部材９０は、前記弦振動制御部材８０と同様に、楽器ケース２の前記開口部４１に対して押し込むことにより、ユーザがワンタッチで容易に装着でき、逆に前記開口部４１から引き抜くことにより、ユーザが容易に取り外すことができる。
【００５５】
ここで、振動吸収部９２は、第１実施形態の振動吸収部８２と同様に、シリコンゴムなどのミュート材（弦に接触して弦の振動を吸収できる材料）よりなるものであり、例えば接着によって基板部９１の内面に固定されている。但し、この振動吸収部９２は、６本の弦Ｓ１〜Ｓ６のうち、高音側の３本の弦Ｓ１〜Ｓ３に対応する箇所にのみ設けられている。そして、弦振動制御部材９０が楽器ケース２の前記開口部４１に取り付けられた装着時に、振動吸収部９２は、ベース部材１０の裏側（図９では下側）の弦Ｓ１〜Ｓ３にのみ図９（ａ）に示す如くその表面が十分に接触し、弦Ｓ１〜Ｓ３の共振を十分に阻止できる寸法とされている。いいかえると、振動吸収部９２は、弦振動制御部材９０の装着状態において、特定の弦Ｓ１〜Ｓ３にのみ作用し、他の弦Ｓ４〜Ｓ６には接触しない構成とされている。
【００５６】
次に節形成部９５は、弦に接触して当該弦に振動の節を形成する部分であり、本例では図９（ｃ）に示すように、基板部９１の底面から上方に突出するように設けられたリブ（基板部９１と一体のリブ）によって構成されている。この節形成部９５は、振動吸収部９２とは違って硬質であり、弦振動制御部材９０を装着した状態において弦に対して相当の押圧力をもって接触するように構成され、その接触位置に弦の振動の節（上下に変位しない部分）を形成する。すなわち、この節形成部９５が接触した弦は、この節形成部９５が接触した位置を境に分割されて開放状態よりも短い弦長さで振動することになる。この節形成部９５の作用により、この節形成部９５が接触している弦の振動による音高は、開放弦の音高とは異なるものになる。なお、本例の節形成部９５は、図９（ａ）に示すように、６本の弦Ｓのうち、低音側の２本の弦Ｓ５，Ｓ６に対応する箇所にのみ設けられ、これら弦Ｓ５，Ｓ６に接触してこれら弦Ｓ５，Ｓ６に振動の節を形成する構成となっている。なお、この第２実施形態の場合、楽器ケース２や各弦Ｓの長手方向（図２における左右方向）における前記開口部４１の位置は、前述したように、節形成部９５が作用する弦Ｓ５，Ｓ６の長手方向における節を形成すべき位置（以下、節形成位置という）に対応した位置とされている。すなわち、弦振動制御部材９０を取り付けたときに、弦Ｓ５，Ｓ６における所定の節形成位置に精度良く節が形成されるように、前記開口部４１の前記長手方向における位置が設定されている。
【００５７】
この第２実施形態によれば、弦振動制御部材９０が楽器ケース２に取り付けられて弦の振動を変化させる。但し本例では、１つの弦振動制御部材９０に振動吸収部９２と節形成部９５の両方が設けられ、これら振動吸収部９２と節形成部９５とがそれぞれ特定の弦に作用する。すなわち本例では、図９（ａ）に示す如く、弦振動制御部材９０の振動吸収部９２が弦Ｓ１〜Ｓ３に接触して裏側の弦Ｓ１〜Ｓ３の振動を吸収する。また、弦振動制御部材９０の節形成部９５が弦Ｓ５，Ｓ６に接触して、裏側の弦Ｓ５，Ｓ６の所定の節形成位置に振動の節を形成する。このため、この弦振動制御部材９０を楽器ケース２に取り付けることによって、演奏上不必要な裏側の弦Ｓ１〜Ｓ３の振動（裏側の開放弦Ｓ１〜Ｓ３の振動）を無くすことができるとともに、裏側の弦Ｓ４の振動（開放弦Ｓ４の振動）と裏側の弦Ｓ５，Ｓ６の振動（弦Ｓ５，Ｓ６の所定の節形成位置に節がある振動）を積極的に利用して、演奏上有用な音を付加して演奏品質を向上させることができる。いいかえると、本例の弦振動制御部材９０の装着時には、裏側の弦Ｓ４（開放弦）及び弦Ｓ５，Ｓ６（非開放弦）がシタールギターの共鳴弦として機能することになる。ここで、節形成部９５は、裏側の弦Ｓ５，Ｓ６の所定の節形成位置に接触して、これら弦Ｓ５，Ｓ６の振動による音高を、開放弦の音高とは異なる所定の音高に変化させる。これにより、開放弦のままでは不協音であった裏側の弦Ｓ５，Ｓ６の振動を、演奏上有用な音に変化させることができる。このように、本発明の節形成部は、演奏上不必要な開放弦の音を無くすとともに、演奏上有用な音を付加することができる。
【００５８】
なお、上述した実施形態では、弦が６本の場合を例示したが、本発明の適用範囲はこれに限られず、例えば弦が１２本ある１２弦ギターでもよいし、極端な例としては一弦琴のように弦が１本でもよい。また、アコースティックギターでもよいし、ギター以外の弦楽器でもよい。また、ベース部材の他端部側の弦支持部が無い態様もあり得る。
【００５９】
また、上述した実施形態では、全ての弦Ｓに作用する振動吸収部８２のみを有する弦振動制御部材８０と、弦Ｓ１〜Ｓ３にのみ作用する振動吸収部９２と弦Ｓ５，Ｓ６にのみ作用する節形成部９５とを有する弦振動制御部材９０と、を例示した。しかし、本発明の弦振動制御部材の仕様（振動吸収部及び節形成部の有無、振動吸収部が作用する弦の種類や数、節形成部が作用する弦の種類や数など）は、多種多様の仕様があり得る。例えば、節形成部のみを有する弦振動制御部材であってもよいし、弦Ｓ５，Ｓ６以外の特定の弦に作用する節形成部と残りの弦のうちの何れかに作用する振動吸収部とを有する弦振動制御部材など、多様な形態があり得る。
【００６０】
また、上述した第２実施形態の節形成部９５は、弦Ｓ５，Ｓ６に対する長手方向の接触位置（節形成位置）が同じであるが、これに限られない。例えば、１つの弦振動制御部材において、弦によって接触位置（節形成位置）が異なる複数種の節形成部が設けられていてもよい。
また、上述した実施形態では、弦振動制御部材の取付箇所が１箇所だけの場合を例示したが、これに限られない。例えば、前述の開口部４１を楽器ケース２の長手方向の複数箇所に形成し、ユーザが複数の取付箇所から１つ又は複数の箇所を選択して弦振動制御部材を取り付ける構成としてもよい。また、弦振動制御部材は、仕様の異なるものを複数用意しておき、ユーザが複数の弦振動制御部材から１つ又は複数を選択して楽器ケース２に取り付けて使用する態様でもよい。
【００６１】
また本発明は、楽器ケースにボディの部分が形成されたボディ付きの弦楽器であってもよい。なお、例えばギターのボディとは、ギターの演奏部の周囲に形成される部分で、一般的には、演奏者がギターを持つ際に体にかかえられる部分であり、演奏者の膝（ひざ）が当る膝凹部と胸が当る胸凹部とが両側に形成された瓢箪（ひょうたん）状箱型の部分である。このようなボディがあれば、ギター全体の慣性モーメントが大きくなって持つ際（特にギターを座って弾く場合）の安定感が増し、また体とのフィット感も増し、ギターを持っている実感が増すため、よい表現が可能になる。
【００６２】
また前記実施形態では、弦モジュールや電磁ピックアップの楽器ケースへの取り付けを、ねじで行っているが、公知の機械的な取付方法は多数ある。例えば、これら弦モジュールや電磁ピックアップの取り付けに、公知のスナップ機構やロック機構などを用いて簡単に着脱する方式（例えば、レバーを倒すと外れ、レバーをもとに戻すと固定されるといったような方式）を採用すれば、弦モジュール等の着脱をもっと迅速に行うこともできる。そして、弦モジュールの着脱をねじ以外の機構で行い、第１実施形態におけるボス２９（図２）のような部分が無い構成であると、弦振動制御部材の取付位置の自由度が高まる利点がある。というのは、第１実施形態では、ボス２９のある位置には弦振動制御部材を取り付けるための開口部４１を形成することは不可能であるため、弦振動制御部材の取付位置（開口部４１を設ける位置）は、ボス２９のある位置以外に限定されてしまう。ところが、弦モジュール１の着脱をねじ以外の機構で行い、第１実施形態におけるボス２９のような部分が無い構成であると、このような限定が無くなる利点がある。
【００６３】
また、前述した実施形態では、弦の両端を移動可能な弦引張調整部材３３に固定して共に引っ張ることにより弦に張力を発生させている。これに対して、弦を張る際に、弦の一端を前記中心線Ｍの延長上に固定しておいて、他端のみをこの延長上において移動させて引っ張った後に固定するという手法で、最終的には弦の両端が引っ張られた状態で固定された構成としてもよい。例えば、図１０に示すように、弦引張調整部材３３には弦Ｓの他端のみを固定する構成とし、弦Ｓの一端（この場合、ポールエンドＳＥ）はベース部材１０の例えば中心線Ｍ上に設けた弦係止部６１に取り付け、弦引張調整部材３３を移動させることによって弦Ｓの他端のみを引っ張って弦Ｓに必要な張力を発生させる態様もあり得る。この場合、弦Ｓの張力が同じであれば、弦引張調整部材３３を引っ張る力が、両端部を引っ張る場合に比べて半分ですむ。また、弦引張調整部材３３の構造が簡素化される。
【００６４】
また、本発明のベース部材は、必ずしも上下対称である必要はない。例えば弦支持部は、必ずしも、上下面（一面側と他面側）に同じ高さで突出している必要はなく、上下で弦支持部の突出高さ（弦高）が異なる態様もあり得る。この場合、張力が同じならば、上面側の弦の張力による力のモーメントと、下面側の弦の張力による力のモーメントとが、打ち消しあってゼロにはならない。しかし、従来の片面側にのみ弦が張られた構成から比べれば、張力によりベース部材に加わる力のモーメントの相当量が上下で打ち消しあうことによって、弦の張力によりベース部材１０に生じる曲げモーメントは従来よりも格段に低減される。
【００６５】
また、本発明のベース部材は、必ずしも上下に連続して弦を張る構成である必要はない。本発明は、ベース部材の一面側と他面側とにそれぞれ別個に（不連続に）弦を張る態様もあり得る。図１１は、その一具体例を示したものである。
【００６６】
図１１の実施形態では、第１実施形態のナット部固定ネジ２７とナット部固定ワッシャ２６は削除され、ベース部材１０の一端（図１１におけるナット１２，１３よりも左側）には、弦係止部７１，７２が上下にそれぞれ形成されている。そして、これら弦係止部７１，７２を利用して、ベース部材１０の上面側と下面側とには異なる弦ＳＡと弦ＳＢとがそれぞれ張り渡されている。各弦係止部７１，７２には、各弦ＳＡ，ＳＢをそれぞれ通すための貫通孔（符号省略）が形成されている。各弦ＳＡ，ＳＢのポールエンドＳＥは、この貫通孔よりも外形が大きい。このため、この貫通孔に各弦ＳＡ，ＳＢの他端部を挿入してベース部材１０の他端側（図１１では右端側）に引っ張れば、各弦ＳＡ，ＳＢの一端部に形成された各ポールエンドＳＥは、図１１に示すように弦係止部７１，７２に当接して保持される。
【００６７】
一方、弦引張調整部材３３の上面と下面とには、各弦ＳＡ，ＳＢの他端部を弦固定ネジ３９で固定するための弦固定凹部４０がそれぞれ形成されている。各弦固定凹部４０の底面には、弦固定ネジ３９の軸をねじ込むためのネジ孔（符号省略）がそれぞれ形成されている。そして、各弦ＳＡ，ＳＢの他端側は、各弦固定凹部４０の底面と上記ネジ孔にねじ込まれた各弦固定ネジ３９の頭部との間に挟み付けられることによって、弦引張調整部材３３の上面側と下面側とにそれぞれ固定される。
【００６８】
本発明は、この図１１のような実施形態でもよく、この場合でも、例えば前述の弦振動制御部材８０，９０と同様の部材を楽器ケースに対して着脱可能な構成とし、第１実施形態や第２実施形態と同様の効果を奏することができる。
また、この図１１のような実施形態でも、各弦ＳＡ，ＳＢが、ベース部材１０の前記中心線Ｍの上下両側に同じ高さで対称に張られ、しかも各弦ＳＡ，ＳＢの各他端部が前記中心線Ｍの延長上において、ベース部材１０の他端部から離れる方向に向けて引っ張られている。このため、各弦ＳＡ，ＳＢの張力によってベース部材１０に発生する曲げモーメントが、上下で打ち消し合ってほぼゼロになる。またこの場合、弦が上下で別個に張られているため、上下で弦の種類や配列を異ならせることができるのに加えて、各弦の長さが通常サイズ（第１実施形態に比べて半分の長さ）ですむという効果が得られる。
【００６９】
なお、図１１に示すように上下に弦を別個に（不連続に）張り渡した場合、弦引張調整装置１１も上下に別個に設けて、上側の弦と下側の弦をそれぞれ別個に引っ張る構成としてもよい。このようにすると、弦の張力を上面側と下面側とでそれぞれ所定の張力に設定することが可能である。ここで「所定の張力に設定する」とは、例えば、弦の種類や演奏上の必要性等によって、上面側と下面側とで異なる張力又は同じ張力に設定すること、或いは、前述の曲げモーメントをゼロにするために、上面側と下面側とで同じ張力又は異なる張力に設定することを意味する。この場合、上面側と下面側とで弦支持部の突出高さが異なる態様であっても、上下の張力をそれに応じて異ならせることによって、前述の曲げモーメントをゼロにすることが可能である。
【符号の説明】
【００７０】
１  弦モジュール
２  楽器ケース
１０  ベース部材
１１  弦引張調整装置
１２，１３  ナット（弦支持部材）
１４，１５  ブリッジ（弦支持部材）
３３  弦引張調整部材
４１  開口部
８０，９０  弦振動制御部材
８２，９２  振動吸収部
９５  節形成部
Ｓ，Ｓ１〜Ｓ６  弦
【図１】
0005672841.tif 000002
【図２】
0005672841.tif 000003
【図３】
0005672841.tif 000004
【図４】
0005672841.tif 000005
【図５】
0005672841.tif 000006
【図６】
0005672841.tif 000007
【図７】
0005672841.tif 000008
【図８】
0005672841.tif 000009
【図９】
0005672841.tif 000010
【図１０】
0005672841.tif 000011
【図１１】
0005672841.tif 000012